(57)【要約】      （修正有）【課題】  インジケータ等の電気部品を種々の被取付物の多様な取付け場所に対応して取付けることができる電気部品取付具を提供する。【解決手段】  電気部品取付具は、電気部品９を取付ける電気部品取付部1e及び接続取付部1dを有する第１の取付具1と、設置位置の異なる複数の接続取付受部であり、第１の取付具の接続取付部が選択して接続取付られる接続取付受部5b、及び被取付物の取付部12へ接続固定される接続固定部5cを有する第２の取付具5とを備えたものである。【選択図】        図６
2005051026.tif 000002
【特許請求の範囲】
【請求項１】
電気部品を取付ける電気部品取付部及び接続取付部を有する第１の取付具と、
設置位置の異なる複数の接続取付受部であり、前記第１の取付具の前記接続取付部が選択して接続取付られる前記接続取付受部、及び被取付物の取付部へ接続固定される接続固定部を有する第２の取付具と、
を備えたことを特徴とする電気部品取付具。
【請求項２】
前記第１の取付具の前記接続取付部は、前記第１の取付具の本体から突出する２個の突出取付部であり、また、前記第２の取付具の前記接続取付受部は、前記第２の取付具の本体に形成された複数の取付穴部から選択された２個の取付穴部であり、さらに、前記２個の突出取付部は、先端部に段差部を介して曲面部が形成されるとともに、前記２個の突出取付部の取付部ピッチが弾性変形範囲内で前記２個の取付穴部の穴部ピッチより大きいことを特徴とする請求項１に記載の電気部品取付具。
【請求項３】
前記第２の取付具の接続固定部は、前記第２の取付具の本体の両側面部に、それぞれ側面部から隙間を有するように形成され、先端部がＶ字部を有する取付脚部であり、また、前記２個の取付脚部の脚部ピッチが前記被取付物の取付部の２個の取付穴部の穴部ピッチより前記取付脚部の弾性変形の範囲内で大きいことを特徴とする請求項１又は請求項２に記載の電気部品取付具。
【請求項４】
前記第１の取付具は、前記接続取付部を直接前記被取付物の取付部へ接続固定するか、または、被取付物の取付部へ接続固定される接続固定部を有し、該接続固定部を直接前記被取付物の取付部へ接続固定するかにより、前記第２の取付具と組合せずに、単独で用いることも可能であることを特徴とする請求項１〜請求項３のいずれかの請求項に記載の電気部品取付具。
【発明の詳細な説明】
【技術分野】
【０００１】
この発明は、蓄電池の充電状態を示すバッテリモニタランプとなる発光ダイオードや照度センサー、人感センサー等の電気部品を取付ける電気部品取付具に関する。
【背景技術】
【０００２】
従来、この種の電気部品取付具の先行技術としては、次のようなものがある。
導電線を有し、電気部品である発光ダイオード（ＬＥＤ）を保持する電気部品保持装置は、装置本体と、この装置本体に設けられ電気部品を保持し、かつ一端側に開口した保持部と、この保持部の側方に位置して装置本体に設けられた壁部と、この壁部に設けられ長手方向一端部を保持部の開口方向と同一方向に開口した溝部と、この溝部に設けられ、導電線を係止する係止部とを具備し、電気部品が装置本体の一端側から保持部に挿入され保持される。次いで、この装置本体が取付金具に取付けられ、取付金具が非常用照明器具に取付けられる（例えば、特許文献１参照）。
【特許文献１】特開平５−３３５７９１号公報（第３頁、第４頁、図１）
【発明の開示】
【発明が解決しようとする課題】
【０００３】
従来の電気部品取付具では、電気部品を保持した保持装置本体を取付ける取付金具の非常用照明器具への取付け構造及び取付方法の明示がない。一方、電気部品の取付け場所は種々あり、これに容易に対応することが望まれる。従来の電気部品取付具では、この要求に充分対応できない。
【０００４】
本発明は、上記のような状況に鑑みなされたもので、インジケータ等の電気部品を種々の被取付物の多様な取付け場所に対応して取付けることができる電気部品取付具を得ることを目的とする。
また、被取付物の取付け場所に容易に取付け可能な電気部品取付具を得ることを目的とする。
【課題を解決するための手段】
【０００５】
本発明の電気部品取付具は、電気部品を取付ける電気部品取付部及び接続取付部を有する第１の取付具と、設置位置の異なる複数の接続取付受部であり、第１の取付具の接続取付部が選択して接続取付られる接続取付受部、及び被取付物の取付部へ接続固定される接続固定部を有する第２の取付具とを備えたものである。
【発明の効果】
【０００６】
本発明の電気部品取付具によると、電気部品を被取付物に取付けるとき、電気部品を取付けた第１の取付具の接続取付部を、第２の取付具の設置位置の異なる複数の接続取付受部から選択した接続取付受部に接続取付け、第２の取付具の接続固定部を被取付物の取付部へ接続固定するので、種々の被取付物の多様な取付け場所に対応して電気部品を取付け可能となる。
【発明を実施するための最良の形態】
【０００７】
実施の形態１．
図１は、第１の取付具の斜視図であり、蓋部側から見た図、図２は、同じく取付脚部側から見た図、図３は、同じく突出取付部側から見た図である。図４は、第２の取付具の斜視図である。図５は、電気部品であるＬＥＤを示す図である。図６は、電気部品であるＬＥＤを第１の取付具及び第２の取付具の組合せで被取付物に取付ける様子を示す図である。
これらの図において、第１の取付具１は、矩形状の板状体の本体１ｂと、本体１ｂの一端側（図１、２、３の上部）で、本体１ｂの板状体の一面から垂直に突出し、形成された蓋部１ａと、本体１ｂの一端側と他端側の中間部で、本体１ｂの板状体の両側部１ｆ、１ｆの同位置から対称的に、一端側の蓋部１ａ側と反対の他端側に延伸し、形成された２個の接続固定部である取付脚部１ｃと、本体１ｂの板状体の蓋部１ａが突出する一面と反対側の他面の他端近く（図１、２、３の下部）から突出する２個の接続取付部である突出取付部１ｄとからなる。
【０００８】
蓋部１ａは、外観がほぼ半円柱で、円柱の側面側が本体１ｂの板状体に対して突出する突出側であり、また、半円柱の他端側（図１、２、３の蓋部１ａの下部）が開口した板状体よりなり、一端側（図１、２、３の蓋部１ａの上部）の面にこの面を貫通して電気部品取付部である電気部品取付穴１ｅが形成されている。
取付脚部１ｃは、本体１ｂの板状体の側部１ｆから一旦突出後、ほぼ直角に他端側（図１、２、３で下方）に曲げられ、本体１ｂの板状体の底部を越えて延伸し、先端部は更に外側にＶ字状に曲げられＶ字部１ｇを形成する。そこで、取付脚部１ｃと本体１ｂの側部１ｆ間には、本体１ｂの板状体の側部１ｆの突出部から本体１ｂの他端側の底部にかけて隙間が形成され、この隙間により、取付脚部１ｃは外側から内側への力が加えられると、弾性的に変形可能となる。また、先端部のＶ字部１ｇは、第１の取付具１を後述の非常用照明器具等の被取付物に取り付けるために被取付物の取付穴部１２に挿入するとき、Ｖ字部の先端形状及び弾性的変形により、挿入が容易であり、かつ一端挿入すると抜け防止となる。
２個の突出取付部１ｄは、第１の取付具１の本体１ｂの他面である突出面において、一端側と他端側方向（図１、２、３で上下方向）の中心線に対して対称に形成され、先端部には曲面部１ｈが形成され、この曲面部１ｈが本体１ｂの突出面側から伸びる平面部１ｊに対してほぼ直角に立上る面からなる段差部１ｋを有して接続している。そこで、第１の取付具１を後述の被取付物に取付けるとき、突出取付部１ｄを被取付物の取付穴部１２に挿入したり、または第２の取付具５の取付穴部５ｂに挿入する場合、曲面部１ｈにより挿入し易く、かつの段差部１ｋにより抜け防止となる。
【０００９】
第２の取付具５は、矩形状の主面部５ｅと主面部５ｅの長手方向の両側面部５ｆ、５ｆからなる断面コの字状の板状体である本体５ａと、主面部５ｅに形成された複数の接続取付受部である取付穴部５ｂと、本体５ａの両側面部５ｆ、５ｆの長手方向の途中の同位置から長手方向の一端側（図１、２、３で下方側）に延伸し、対称的に形成された２個の接続固定部である取付脚部５ｃと、主面部５ｅの一端側（図１、２、３で下方側）の端部に、両側面部５ｆと反対側に突出する背面底部５ｄとからなる。但し、本体５ａは、断面コの字状の板状体である替わりに、厚手の単なる板状体でもよい。
本体５ａの主面部５ｅに形成された取付穴部５ｂは、所定の間隔で、即ち、第１の取付具１の２個の突出取付部１ｄ、１ｄ間の間隔に対応し、主面部を貫通して形成される。図４では、主面部に２列４行の８個の取付穴部５ｂが所定の等間隔で形成されている。
【００１０】
取付脚部５ｃは、両側面部５ｆ、５ｆから一旦突出後、ほぼ直角に一端側（図１、２、３で下方側）に曲げられ、本体５ａの板状体の一端側（図１、２、３で下方側）の端部を越えて延伸し、先端部は更に外側にＶ字状に曲げられＶ字部５ｇを形成する。そこで、取付脚部５ｃと本体５ａの側面部５ｆ間には、側面部５ｆからの突出部から胴部５ａの一端側の底部にかけて隙間が形成され、この隙間により、取付脚部５ｃは外側から内側への力が加えられると、弾性的に変形可能となる。また、先端部のＶ字部５ｇは、第２の取付具５を後述の非常用照明器具等の被取付物に取り付けるため、被取付物の取付穴部１２に挿入するとき、Ｖ字部の先端形状及び弾性的変形により、挿入が容易であり、かつ一端挿入すると抜け防止となる。
【００１１】
電気部品９としては、例えば図５に示す発光ダイオード（ＬＥＤ）の例で説明すると、ＬＥＤ９ａにリード線９ｃを付けたもの（図５の右側）またはＬＥＤ９ａを基板９ｂに取付け、これにリード線９ｃを付けたもの（図５の左側）を使用する。
なお、第１の取付具１及び第２の取付具５は、ポリブチレンテレフタレート（ＰＢＴ）のようなプラスチックを材質とし、射出成形により、それぞれ一体成形される。
また、第１の取付具１は、接続固定部１ｃ（取付脚部１ｃ）なしでもよい。
【００１２】
本電気部品取付具は、第１の取付具と第２の取付具との組合せから構成されるか、又は接続固定部１ｃ（取付脚部１ｃ）なしの第１の取付具と第２の取付具との組合せから構成されるか、又は第１の取付具１から構成される。
第１の取付具と第２の取付具との組合せから構成される場合は、電気部品９を取付けた第１の取付具１の接続取付部１ｄ（突出取付部１ｄ）を第２の取付具５の接続取付受部５ｂ（取付穴部５ｂ）に取付け、第２の取付具５の接続固定部５ｃ（取付脚部５ｃ）を被取付物の取付穴部１２に取付けることにより、電気部品９を被取付物に取付ける。また、第２の取付具５は使用せずに、第１の取付具１の接続固定部１ｃ（取付脚部１ｃ）または接続取付部１ｄ（突出取付部１ｄ）を被取付物の取付穴部１２に取付けることにより、電気部品９を被取付物に取付ける。
【００１３】
また、接続固定部１ｃ（取付脚部１ｃ）なしの第１の取付具と第２の取付具との組合せから構成される場合は、電気部品９を取付けた第１の取付具１の接続取付部１ｄ（突出取付部１ｄ）を第２の取付具５の接続取付受部５ｂ（取付穴部５ｂ）に取付け、第２の取付具５の接続固定部５ｃ（取付脚部５ｃ）を被取付物の取付穴部１２に取付けることにより、電気部品９を被取付物に取付ける。また、第２の取付具５は使用せずに、第１の取付具１の接続取付部１ｄ（突出取付部１ｄ）を被取付物の取付穴部１２に取付けることにより、電気部品９を被取付物に取付ける。
【００１４】
また、第１の取付具１から構成される場合は、第１の取付具１の接続固定部１ｃ（取付脚部１ｃ）または接続取付部１ｄ（突出取付部１ｄ）を被取付物の取付穴部１２に取付けることにより、電気部品９を被取付物に取付ける。
上記いずれの構成の場合も、種々の被取付物の多様な取付場所に対応して電気部品を取付けることができる。
【００１５】
次に、本電気部品取付具を使用して、電気部品を被取付物への取付け方法を図により詳細に説明する。
図６は、第１の取付具１と第２の取付具５を組合せて、電気部品９であるＬＥＤ９ａを被取付物の被取付部へ取付けることを説明する図である。
まず、図６（ａ）に示すように、電気部品９のＬＥＤ９ａを第１の取付具１の蓋部１ａの電気部品取付穴部１ｅに取付ける。取付けは、ＬＥＤ９ａを蓋部１ａの開口から蓋部１ａ内に入れ、電気部品取付穴部１ｅからＬＥＤ９ａの頭部を出す。その際、ＬＥＤの尾部が蓋部１ａ内に形成された公知の取付部（図示省略）にワンタッチで弾性的に固定される。
【００１６】
それから、図６（ｂ）に示すように、ＬＥＤ９ａを取付けた第１の取付具１の２個の突出取付部１ｄ、１ｄを第２の取付具５の適当な取付穴部５ｂ、５ｂに挿入、固定する。このとき、被取付物の予定の取付場所を考慮して、取付けたＬＥＤ９ａが望ましい設置位置となるように設置位置の相違する複数の取付穴部５ｂから適当な取付穴部５ｂを選択し、選択した取付穴部５ｂに挿入、固定する。
また、第１の取付具１の２個の突出取付部１ｄ間のピッチ（２個の突出取付部１ｄの取付部ピッチ）を第２の取付具５の２個の取付穴部５ｂ間のピッチ（２個の取付穴部５ｂの穴部ピッチ）より突出取付部１ｄの弾性変形範囲内で大きくする。そこで、挿入後に突出取付部１ｄ、１ｄのピッチが広がるように作用し、突出取付部１ｄの段差部１ｋで抜けずに固定される。即ち、挿入が容易であることと併せて、ワンタッチで容易に取付け、固定される。
なお、第１の取付具１の突出取付部１ｄを第２の取付具５の最も取付脚部５ｃの先端部寄りの取付穴部５ｂに挿入しても、取付脚部１ｃは取付脚部５ｃの先端部のＶ字部５ｇより図６において、上となるように関連部品は位置関係とされる。
【００１７】
次いで、非常用照明器具のシャーシのような被取付部の所定の場所に形成した取付穴部１２、１２にＬＥＤ９ａ付きの第１の取付具１を固定した第２の取付具５の取付脚部５ｃ、５ｃを挿入し、固定する。ここで、被取付物の２個の取付穴部１２、１２は、取付脚部５ｃの先端部のＶ字部５ｇが挿入可能な大きさの穴部であり、また、２個の取付脚部５ｃ、５ｃ間のピッチ（２個の取付脚部５ｃ、５ｃの脚部ピッチ）が２個の取付穴部１２、１２間のピッチ（２個の取付穴部１２、１２の穴部ピッチ）より取付脚部５ｃの弾性変形の範囲内で大きくする。そこで、挿入後に取付脚部５ｃ、５ｃのピッチが広がるように作用し、先端部のＶ字部５ｇで抜けずに固定される。即ち、挿入が容易であることと併せて、ワンタッチで容易に取付け、固定される。
なお、第２の取付具５の背面底部５ｄは、第２の取付具５を被取付物に取付けたときの倒れ防止となる。
【００１８】
電気部品９のＬＥＤ９ａをインジケータとして使用する場合、被取付物の種類、取付場所によりＬＥＤ９ａの位置は種々制約されるが、第１の取付具１の突出取付部１ｄを挿入する第２の取付具５の取付穴部５ｂを選択することにより、ＬＥＤ９ａの位置を望ましい位置に設けることができる。例えば、第２の取付具５の選択する取付穴部５ｂを主面部の長手方向に変化させると、それにつれてＬＥＤ９ａの設置位置を主面部の長手方向に変化させることができる。
また、図６（ｂ）で、第１の取付具１を９０度回転させて、第２の取付具５に取付ければ、ＬＥＤ９ａの設置方向を変えることもできる。
さらに、第２の取付具５は使用せずに、第１の取付具１の接続固定部１ｃ（取付脚部１ｃ）または接続取付部１ｄ（突出取付部１ｄ）を被取付物の取付穴部１２に取付けることにより、電気部品９を被取付物に取付ければ、電気部品の取付位置を変えることができ、また同様に、ワンタッチで容易に取付け、固定できる。
このようにＬＥＤ９ａを非常用照明器具のシャーシ等に取付け、インジケータのバッテリモニタランプとし、点灯の有無を外部から見えるようにする場合は、非常用照明器具のバッテリの充電状態を知ることができる。
【００１９】
また、接続固定部１ｃ（取付脚部１ｃ）なしの第１の取付具と第２の取付具との組合せから構成される場合、及び第１の取付具１から構成される場合も同様に種々の被取付物の多様な取付け場所に対応して電気部品を取付けることができ、しかもワンタッチで取付けることができ、取付けが容易となる。
【００２０】
第１の取付具１を第２の取付具５に取付け組合せて使用する場合は、図７のようにしてもよい。第１の取付具１の１個の突出取付部１ｄを第２の取付具５の取付穴部５ｂに挿入し、もう１個の突出取付部１ｄは第２の取付具５の側面部に当たるようにする。このように組合せれば、更に電気部品９の設置位置を変化できる。
【００２１】
また、図８に示すように、第１の取付具１を傾けて取付けてもよい。この場合は第２の取付具５の取付穴部５ｂの穴間隔は、予め斜め取付が可能な取付穴部５ｂを形成しておく。この場合も電気部品９の設置位置を変化できる。
【００２２】
図９は、第１の取付具１の取付脚部１ｃの先端部のＶ字部１ｇの大きさを両者間で相違させたものである。このようにすれば、被取付部の取付穴部１２の大きさを対応させておくことにより、取付方向の間違いが生じるのを防止できる。
第１の取付具１と第２の取付具５とを組合せた場合も同様に、第２の取付具５の取付脚部５ｃの先端部のＶ字部５ｇの大きさを相違させ、同様に取り付け方向の間違いを防止できる。
【００２３】
本電気部品取付具が利用できる電気部品９としては、上記の非常用照明器具の蓄電池の充電状態を示すインジケータとしてのＬＥＤ９ａの他に、照度センサー、人感センサーの例を、図１０、図１１に示す。
図１０の照度センサでは、天井に設置した監視装置１５に本電気部品取付具により照度センサ（図示省略）を取付け、机面からの反射光を検知し、明るすぎる場合、光束を絞る信号を照明器具１６に送信し、明るさを絞る。
また、図１１では、天井に設置した監視装置１５に本電気部品取付具により照度センサ（図示省略）と人感センサ（図示省略）を取付け、照度センサにより明るさを監視し、照度センサの検知信号を照明器具１６に送り、適正な明るさに制御するとともに、人からの熱線を人感センサが検知し、検知信号を照明器具１６に送信し、点灯し、不在時は、消灯する。
【産業上の利用可能性】
【００２４】
本発明の電気部品取付具は、電気部品としてＬＥＤ９ａをシャーシ等に取り付け、非常用照明器具の蓄電池の充電状態を示すインジケータとして利用されたり、電気部品として照度センサ、人感センサを監視装置に取付け、照明器具の明るさ制御、点灯制御に使われる。
【図面の簡単な説明】
【００２５】
【図１】本発明の電気部品取付具の第１の取付具の斜視図である。
【図２】本発明の電気部品取付具の第１の取付具の別方向から見た斜視図である。
【図３】本発明の電気部品取付具の第１の取付具の更に別方向から見た斜視図である。
【図４】本発明の電気部品取付具の第２の取付具の斜視図である。
【図５】本発明の電気部品取付具に取付ける電気部品であるＬＥＤを示す図である。
【図６】本発明の電気部品取付具の取付けを説明する図である。
【図７】本発明の電気部品取付具の第１の取付具を第２の取付具図に取付ける状態を説明する図である。
【図８】本発明の電気部品取付具の第１の取付具を第２の取付具図に取付ける別の状態を説明する図である。
【図９】本発明の電気部品取付具を被取付部へ取付ける状態を説明する図である。
【図１０】本発明の電気部品取付具に取付ける電気部品の例を示す図である。
【図１１】本発明の電気部品取付具に取付ける別の電気部品の例を示す図である。
【符号の説明】
【００２６】
１  第１の取付具、１ｂ  第１の取付具の本体、１ｃ  第１の取付具の接続固定部、１ｄ  第１の取付具の接続取付部（突出取付部）、１ｅ  電気部品取付部、１ｈ  曲面部、１ｋ  段差部、５  第２の取付具、５ａ  第２の取付具の本体、５ｂ  第２の取付具の接続取付受部（取付穴部）、５ｃ  第２の取付具の接続固定部（取付脚部）、５ｆ  第２の取付具の側面部、５ｇ  Ｖ字部、９  電気部品、１２  被取付物の取付部（取付穴部）。
【図１】
2005051026.tif 000003
【図２】
2005051026.tif 000004
【図３】
2005051026.tif 000005
【図４】
2005051026.tif 000006
【図５】
2005051026.tif 000007
【図６】
2005051026.tif 000008
【図７】
2005051026.tif 000009
【図８】
2005051026.tif 000010
【図９】
2005051026.tif 000011
【図１０】
2005051026.tif 000012
【図１１】
2005051026.tif 000013